(57)【要約】【課題】  施工やメンテナンスを容易に行うことができる人孔可撓継手を提供する。【解決手段】  マンホール１０には、管路２０が継手３０を介して接続されており、継手３０は、マンホール１０の側壁１１を貫通してその内部に位置する管路２０の先端に装着された連結フランジ３４と、側壁１１の内面の装着面１３とを、止水ゴム３１で水密的に連結して構成されている。【選択図】  図２
2005083148.tif 000002
【特許請求の範囲】
【請求項１】
人孔と管路の接続部において、
前記管路は前記人孔の側壁に形成された挿通孔に遊嵌して先端部が前記人孔の内側に位置し、前記管路の先端に装着された大径の装着板と前記人孔の内壁面との間に環状の可撓止水部材が水密的に両者を連結して配設されると共に、前記管路の外周と前記挿通孔の間に目地材が介装されて構成されていることを特徴とする人孔可撓継手。
【請求項２】
上記可撓止水部材と上記管路の外周の間に、発泡ウレタンが充填されて構成されていることを特徴とする請求項１に記載の人孔可撓継手。
【発明の詳細な説明】
【技術分野】
【０００１】
本発明は、人孔と当該人孔に接続される管路とを相対変位を許容して接続する人孔可撓継手に関する。
【背景技術】
【０００２】
地盤の不等沈下等に伴う人孔と当該人孔に接続される管路との相対変位を、水密性を保って許容する構成として、特許文献１に開示のごときものが知られている。
【０００３】
これは、図３に概念図を示すように、人孔５１の側壁に開口形成された貫通孔５１Ａに管路５２の先端が遊嵌し、その管路５２の外周と貫通孔５１Ａの内周との間に止水可撓部材５３が介設されて構成されている。
【０００４】
止水可撓部材５３は、概略コーン状を呈しており、その大径の基端部５３Ａが貫通孔５１Ａの内周面に嵌合固定されると共にこの基端部５３Ａから管路側に延設された小径の他端部５３Ｂが管路５２の外周に嵌合固定され、これによって人孔５１と管路５２とを水密的に連結し、その弾性変形によって人孔５１と管路５２の相対変位を許容し得るようになっている。
【０００５】
また、同様の構成として特許文献２に開示のごときものもある。
【特許文献１】特開平１１−２１９３０号公報
【特許文献２】特許第２５７１３８０号公報
【発明の開示】
【発明が解決しようとする課題】
【０００６】
しかしながら、上記のごとき従来の構成では、止水可撓部材５３の管路５２側の固定部位は人孔５１の外側であるため、特に既設の管路に人孔を増設するような場合には施工が極めて面倒であるという問題があった。また、供用開始後のメンテナンスも困難なものである。
【０００７】
本発明は、上記問題に鑑みてなされたものであって、施工やメンテナンスを容易に行うことができる人孔可撓継手を提供することを目的とする。
【課題を解決するための手段】
【０００８】
上記目的を達成する本発明の人孔可撓継手は、人孔と管路の接続部において、前記管路は前記人孔の側壁に形成された挿通孔に遊嵌して先端部が前記人孔の内側に位置し、前記管路の先端に装着された大径の装着板と前記人孔の内壁面との間に環状の可撓止水部材が水密的に両者を連結して配設されると共に、前記管路の外周と前記挿通孔の間に目地材が介装されて構成されていることを特徴とする。
【０００９】
この構成では、可撓止水部材が接続部の水密性を保つと共にその弾性変形によって人孔と管路の相対変位を許容する。すべての施工及びメンテナンスは人孔の内部から可能である。
【００１０】
また、上記構成に加え、上記可撓止水部材と上記管路の外周の間に、発泡ウレタンが充填されて構成されていることを特徴とする。
【００１１】
この構成では、発泡ウレタンが可撓止水部材に作用する外圧に対抗して可撓止水部材の伸びを抑えると共に止水作用も担う。
【発明の効果】
【００１２】
本発明の人孔可撓継手によれば、管路は人孔の側壁に形成された挿通孔に遊嵌して先端部が人孔の内側に位置し、管路の先端に装着された大径の装着板と人孔の内壁面との間に環状の可撓止水部材が水密的に両者を連結して配設されると共に、管路の外周と挿通孔の間に目地材が介装されて構成されていることにより、可撓止水部材の装着等の施工及びメンテナンスを人孔の内部から容易に行うことができる。
【００１３】
また、上記可撓止水部材と上記管路の外周の間に、発泡ウレタンが充填されて構成されていることにより、発泡ウレタンが可撓止水部材に作用する外圧に対抗して可撓止水部材の伸びを抑えると共に止水作用を増大させ、高水圧が作用する環境下においても水密性を保ちつつ人孔と管路の相対変位を許容することができる。
【発明を実施するための最良の形態】
【００１４】
以下、添付図面を参照して本発明を実施するための最良の形態について説明する。  
図１は本発明に係る人孔可撓継手の一構成例を適用した人孔としてのマンホール１０と管路２０（上流側管路２１，下流側管路２２）の接続部位を示し、（Ａ）は管路２０の中心を通る水平面における断面図，（Ｂ）は管路２０の中心を通る鉛直面における断面図である。尚、本構成例は、セグメントを円筒状に組み立てて構築された既設のシールド管路（管路２０）中にマンホール１０を追加構築した例である。
【００１５】
マンホール１０には、上流側の管路２１と、下流側の管路２２が、中心軸を一致させてそれぞれ本願発明に係る人孔可撓継手の一構成例である継手３０を介して接続されている。上流側管路２１と下流側管路２２の継手３０は同様であり、以下、管路２０として説明する。
【００１６】
継手３０は、図１（Ｂ）のＸ部拡大図である図２に示すように、マンホール１０の側壁１１を貫通してその内部に位置する管路２０の先端と、側壁１１の内面とが、可撓性を有する可撓止水部材としての止水ゴム３１で連結されて構成されている。
【００１７】
マンホール１０には、側壁１１に管路２０の挿通孔１２が形成されると共に、その側壁１１の内側への開口部周囲にコンクリートが増し打ちされて管路２０の中心軸と直交する平坦な装着面１３が形成されている。
【００１８】
管路２０は挿通孔１２に遊嵌し、その先端を側壁１１の内側の装着面１３より所定量突出させて配設されている。この管路２０の先端の位置は、当該管路２０を構成する既存のセグメントに鋼板製の調整セグメント２０Ａを結合することで、先端が側壁１１の装着面１３と所定間隔を有するように設定される。尚、図１中の想像線は当該マンホール１０を構築するに際して撤去された既存のセグメントを示す。
【００１９】
マンホール１０の挿通孔１２は、管路２０の外径に対して所定の余裕を有する径に（管路２０の外径より所定量大径に）設定され、管路２０の外周と挿通孔１２の内周との間には目地材３２が介装されている。尚、図中３３は、調整セグメント２０Ａの内部に充填された目地材である。
【００２０】
管路２０の先端（調整セグメント２０Ａの先端）には、装着板としての連結フランジ３４が固定されており、止水ゴム３１の一方の側縁はこの連結フランジ３４に固定されている。
【００２１】
連結フランジ３４は、内径が管路２０（調整セグメント２０Ａ）の内径と等しく、外径が管路２０の外径より所定量大径の円環状であり、内周部で管路２０（調整セグメント２０Ａ）に溶接されて一体化している。
【００２２】
止水ゴム３１は、ゴムや合成樹脂等の所定硬度の弾性素材によって、連結フランジ３４と装着面１３の間隔と対応する幅で、両側縁に外周側に屈曲した取付部３１Ａを備えると共に幅方向中央に外側に所定幅で屈曲突出した変形屈曲部３１Ｂを備えて形成されている。そして、一方の取付部３１Ａが取付ボルト４２によって押圧金具４１を介して連結フランジ３４に水密的に締着されると共に、他方の取付部３１Ａが側壁１１の装着面１３に埋設された取付ナット４３に螺合する取付ボルト４２によって押圧金具４１を介して水密的に締着され、内外の水密性を保ってマンホール１０と連結フランジ３４（即ち管路２０）を連結して配設されている。
【００２３】
取付ナット４３は、アンカー部材４３Ａに溶接固定されており、装着面１３を形成するコンクリート内に外面を装着面１３に一致させて埋設されているものである。
【００２４】
止水ゴム３１の内周と調整セグメント２０Ａの外周の間は所定の間隔を有して空間が形成され、この空間内に発泡ウレタン３５が充填されている。
【００２５】
止水ゴム３１の外周側には、目地材３６が配設されると共にその外周側にカバープレート３７が配設され、断面Ｌ字状の止め金具３８で固定されている。
【００２６】
上記のごとく構成された継手３０では、管路２０の外周と挿通孔１２の内周は所定の間隔を有して遊嵌されると共に、管路２０はマンホール１０の内側でその先端が止水ゴム３１を介して連結されているため、止水ゴム３１及び発泡ウレタン３５の弾性変形によって、水密性を保って管路２０のマンホール１０に対する軸方向及び屈曲方向の相対変位を許容することができる。
【００２７】
即ち、止水ゴム３１の軸方向に伸縮によって管路２０のマンホール１０に対する軸方向の相対変位を許容し得ると共に、止水ゴム３１の屈曲と管路２０と挿通孔１２の間に介装された目地材３２の弾性変形によって管路２０のマンホール１０に対する屈曲方向の相対変位を許容し得るものである。
【００２８】
また、止水ゴム３１の装着等の継手３０の施工はマンホール１０の内部で行うことができるため、極めて施工性が良いものである。
【００２９】
尚、上記各構成例では、本発明を既存のシールド管路に人孔を追加構築する例について説明したが、本発明はこれに限らず一体の管路や同時新設の人孔に適用しても良いことは勿論である。
【００３０】
また、止水ゴム３１の内周と調整セグメント２０Ａの外周の間に充填された発泡ウレタン３５は必ずしも必要ではなく、外圧が小さい場合には省略しても良いものである。
【図面の簡単な説明】
【００３１】
【図１】本発明に係る人孔可撓継手の一構成例を適用した人孔と管路の接続部位の断面図である。
【図２】図１（Ｂ）のＸ部拡大図である。
【図３】従来例としての人孔と管路の接続部を概念的に示す図である。
【符号の説明】
【００３２】
１０  マンホール（人孔）
１１  側壁
１２  挿通孔
２０  管路
３０  継手
３４  連結フランジ（装着板）
３１  止水ゴム（可撓止水部材）
３２  目地材
３５  発泡ウレタン
【図１】
2005083148.tif 000003
【図２】
2005083148.tif 000004
【図３】
2005083148.tif 000005